(57)【特許請求の範囲】
【請求項１】
バッテリのバッテリポストにバッテリ端子を介して固定され、前記バッテリの上面と側面に沿って配置されるユニット本体と、前記ユニット本体に装着され、前記ユニット本体の外周を被うバッテリカバーとを備え、
前記ユニット本体には、前記バッテリの側面に対向する位置に、前記バッテリカバーの装着スペースを確保するバッテリ突き当てリブが設けられたヒューズユニットであって、
前記バッテリ突き当てリブは、前記バッテリポストを中心として左右端位置にそれぞれ設けられ、前記左右一対のバッテリ突き当てリブは、前記バッテリの１つの側面に突き当たることを特徴とするヒューズユニット。
【発明の詳細な説明】
【技術分野】
【０００１】
本発明は、バッテリに直付けされるヒューズユニットに関する。
【背景技術】
【０００２】
従来より、バッテリに直付けされるヒューズユニットが種々提案されている（例えば特許文献１参照）。この種のヒューズユニットの一従来例が図６に示されている。図６において、ヒューズユニット１００は、バッテリ１０１のバッテリポスト１０２にバッテリ端子１０３を介して固定されている。ヒューズユニット１００は、ユニット本体１０５とバッテリカバー１４０とを備えている。ユニット本体１０５は、導電性金属板であるバスバー１１０と、このバスバー１１０の外面にインサート成形によって設けられた絶縁保護部１２０とを備えている。
【０００３】
バスバー１１０は、バッテリ端子１０３が接続され、バッテリポスト１０２側から給電を受ける給電用接続部１１１と、スタータモータ端子１３０が接続されるスタータモータ用接続部１１２と、オルタネータ端子１３１が接続されるオルタネータ用接続部１１３と、負荷側端子（図示せず）が接続される負荷用接続部（図示せず）と、給電用接続部１１１とオルタネータ用接続部１１３に介在されるオルタネータ用可溶部１１５と、給電用接続部１１１と各負荷用接続部（図示せず）との間にそれぞれ介在された複数の負荷用可溶部１１６とを有する。
【０００４】
ユニット本体１０５は、直角方向に折曲されたＬ字形状を有し、バッテリ１０１の上面１０１ａと側面１０１ｂに沿って配置されている。これにより、ヒューズユニット１００に割り当てられたバッテリ１０１の周辺スペースに設置されている。
【０００５】
バッテリカバー１４０は、底面が開口された大略箱形状である。バッテリカバー１４０は、カバー本体１４１と、このカバー本体１４１にヒンジ部１４２を介して回転自在に支持された蓋部１４３とを備えている。カバー本体１４１の一側端の下方には、側面カバー部１４４が延設されている。側面カバー部１４４は、バッテリカバー１４のスライド装着時には、スライドガイドとして機能する。つまり、バッテリカバー１４０は、側面カバー部１４４をスライドガイドとしてユニット本体１０５の上方よりスライドすることによって装着される。バッテリカバー１４０は、バッテリポスト１０２，バッテリ端子１０３、ユニット本体１０５を上方及び側方より被う。バッテリカバー１４０は、ヒューズユニット１００の絶縁機能、耐水機能等を担う。
【先行技術文献】
【特許文献】
【０００６】
【特許文献１】特開２００２−２８９１７１号公報
【発明の概要】
【発明が解決しようとする課題】
【０００７】
しかしながら、前記従来例では、ユニット本体１０５をバッテリ端子１０３を介して装着する際、ユニット本体１０５はバッテリポスト１０２を中心に回転可能である。従って、ユニット本体１０５は、その一端側がバッテリ１０１の側面１０１ｂに突き当たった状態でバッテリポスト１０２に固定されることがある。このような固定位置でユニット本体１０５が固定されると、バッテリカバー１４０をユニット本体１０５に上方からスライドする際にバッテリ１０１に干渉して組み付けできない恐れがある。このような場合には、バッテリ端子１０３の締結を緩め、ユニット本体１０５を所定の回転位置に直して再度締結し直す必要があり、組み付け性が悪いという問題があった。
【０００８】
そこで、本発明は、前記した課題を解決すべくなされたものであり、バッテリカバーの組み付け性が良いヒューズユニットを提供することを目的とする。
【課題を解決するための手段】
【０００９】
本発明は、バッテリのバッテリポストにバッテリ端子を介して固定され、前記バッテリの上面と側面に沿って配置されるユニット本体と、前記ユニット本体に装着され、前記ユニット本体の外周を被うバッテリカバーとを備え、前記ユニット本体には、前記バッテリの側面に対向する位置に、前記バッテリカバーの装着スペースを確保するバッテリ突き当てリブが設けられたヒューズユニットであって、前記バッテリ突き当てリブは、前記バッテリポストを中心として左右端位置にそれぞれ設けられ、前記左右一対のバッテリ突き当てリブは、前記バッテリの１つの側面に突き当たることを特徴とする。
【発明の効果】
【００１１】
本発明によれば、ユニット本体をバッテリ端子を介してバッテリポストに装着する際にユニット本体がバッテリに対して傾き、バッテリ突き当てリブがバッテリに当接する位置で固定されてもバッテリカバーの装着スペースが確保されるため、バッテリカバーを確実に組み付けできる。従って、バッテリカバーの組み付け性が良い。
【図面の簡単な説明】
【００１２】
【図１】本発明の一実施形態を示し、（ａ）はユニット本体がバッテリに固定された状態を示す平面図、（ｂ）はユニット本体がバッテリに固定された状態を示す側面図である。
【図２】本発明の一実施形態を示し、（ａ）バッテリカバーがユニット本体に組み付けされた状態を示す平面図、（ｂ）はバッテリカバーがユニット本体に組み付けされた状態を示す側面図である。
【図３】本発明の一実施形態を示し、（ａ）はユニット本体の正面図、（ｂ）はユニット本体の右側面図、（ｃ）はユニット本体の左側面図である。
【図４】本発明の一実施形態を示し、ユニット本体の斜視図である。
【図５】本発明の一実施形態を示し、バッテリカバーの側面図である。
【図６】従来のヒューズユニットの分解斜視図である。
【発明を実施するための形態】
【００１３】
以下、本発明の一実施形態を図面に基づいて説明する。
【００１４】
図１〜図５は本発明の一実施形態を示す。図１及び図２に示すように、ヒューズユニット１は、バッテリ２のバッテリポスト３にバッテリ端子４を介して固定されている。ヒューズユニット１は、ユニット本体１０とバッテリカバー２０とを備えている。ユニット本体１０は、Ｌ字状に折れ曲がった形態を有し、バッテリ２の上面２ａと側面２ｂに沿って配置されている。これにより、ヒューズユニット１は、バッテリ２の周辺スペースに設置されている。
【００１５】
ユニット本体１０は、図１、図３及び図４に詳しく示すように、導電性金属板であるバスバー１１と、このバスバー１１の外面にインサート成形によって設けられた絶縁保護部１５とを備えている。バスバー１１は、バッテリ端子４が接続される給電用接続部１２と、各外部端子（図示せず）が接続される複数の外部用接続部１３，（図示せず）と、給電用接続部１２と各外部用接続部１３間に介在された複数の可溶部（図示せず）とを有する。各外部用接続部１３，（図示せず）は、スタッドボルト１４を有し、ボルト締結によって外部端子（図示せず）が接続される。各可溶部（図示せず）は、過電流の通電によってそれぞれ溶断する。
【００１６】
絶縁保護部１５は、給電用接続部１２、各外部用接続部１３，（図示せず）、各可溶部（図示せず）を除くバスバー１１の外面をほぼ被覆している。絶縁保護部１５の左右の側面部には、スライドレール部１６がそれぞれ設けられている。又、絶縁保護部１５の左右の側端、換言すればバッテリ装着状態でバッテリポスト３を中心とする左右端位置には、左右一対のバッテリ突き当てリブ１７，１７がそれぞれ設けられている。各バッテリ突き当てリブ１７は、他の面よりバッテリ２側に突き出ている。この突出によって、各バッテリ突き当てリブ１７は、バッテリ２の１つの側面２ｂに突き当たった状態でもバッテリカバー２０の装着スペースを確保する。
【００１７】
バッテリカバー２０は、図２及び図５に詳しく示すように、底面が開口された大略箱形状である。バッテリカバー２０は、絶縁性の合成樹脂材より形成されている。バッテリカバー２０は、上方からユニット本体１０にスライドすることによって装着されている。バッテリカバー２０は、上面カバー部２１と、この上面カバー部２１より垂下された側面カバー部２２とを備えている。
【００１８】
上面カバー部２１は、ユニット本体１０のみならずバッテリ端子４とバッテリポスト３を上方より被っている。上面カバー部２１は、固定面部２１ａと、固定面部２１ａにヒンジ部２１ｂを介して連結された蓋部２１ｃとを有する。蓋部２１ｃは、固定面部２１ａよりバッテリ２側に突出している。蓋部２１ｃを開位置にすることによって、バッテリポスト３とバッテリ端子４と給電用接続部１２等を露出させることができる。側面カバー部２２は、ユニット本体１０を側方より被っている。側面カバー部２２の左右側面の内側には、スライドレール部１６にガイドされるガイド部（図示せず）が設けられている。バッテリカバー２０は、ヒューズユニット１の絶縁機能、耐水機能等を担っている。
【００１９】
上記構成において、ユニット本体１０をバッテリ端子４を介して装着する際、ユニット本体１０はバッテリポスト３を中心に回転可能である。従って、ユニット本体１０は、図１（ａ）、（ｂ）に示すように、バッテリ２に対して傾いてバッテリ突き当てリブ１７がバッテリ２の側面２ｂに突き当たった状態でバッテリポスト３に固定されることがある。このような固定位置であっても、バッテリカバー２０の装着スペースが確保される。従って、図２（ａ）、（ｂ）に示すように、バッテリカバー２０をユニット本体１０にスライドによって組み付けできる。従って、従来例のように、バッテリ端子４の締結を一旦緩め、ユニット本体１０を所定の回転位置に直して再度締結し直す必要がなく、バッテリカバー２０の組み付け性が良い。
【００２０】
バッテリ突き当てリブ１７は、バッテリ２の装着状態にあって、バッテリポスト３を中心として左右端位置にそれぞれ設けられている。従って、ユニット本体１０が左右のどの方向でバッテリ２に対して傾斜固定されてもバッテリカバー２０の装着スペースを確保できる。
【符号の説明】
【００２１】
１  ヒューズユニット
２  バッテリ
２ａ  上面
２ｂ  側面
３  バッテリポスト
４  バッテリ端子
１０  ユニット本体
１７  バッテリ突き当てリブ
２０  バッテリカバー
【図１】
0005753425.tif 000002
【図２】
0005753425.tif 000003
【図３】
0005753425.tif 000004
【図４】
0005753425.tif 000005
【図５】
0005753425.tif 000006
【図６】
0005753425.tif 000007